(57)【要約】【課題】窓の開放角度を一定にして安全性を確保し、緊急時には簡単な操作により窓を全面開放することができ、不用意に全面開放することのない開放制限ストッパーを提供する。【解決手段】窓枠１２に回転軸を介して障子１４が取り付けられ、障子１４に固定される障子ブラケット１６と、窓枠１２に固定される枠ブラケット１８を有する。障子ブラケット１６にはアーム２２が回転可能に取り付けられ、枠ブラケット１８には筒状の本体２０を回転可能に備える。アーム２２の一端部は、本体２０の長手方向の端部に形成された開口部２５に差し込まれ、所定の長さの範囲で突没が可能であり、突出した状態でアーム２２を本体２０にロックする。枠ブラケット１８は、本体２０に取り付けられる軸部２６を有し、本体２０は、軸部２６を係止するとともに、移動することで係止解除を行う解除プレート６６を備える。解除プレート６６を覆い、一定以上の力で取り外し可能な保護カバー８６を備える。【選択図】図１
2020133117.tif 000002
【特許請求の範囲】
【請求項１】
窓枠に回転軸を介して障子が取り付けられた開き窓の、障子に固定される障子ブラケットと、窓枠に固定される枠ブラケットが設けられ、前記障子ブラケットにはアームが回転可能に取り付けられ、前記枠ブラケットには筒状の本体が回転可能に取り付けられ、
前記アームの前記障子ブラケットとは反対側の端部は、前記本体の長手方向の端部に形成された開口部に差し込まれ、所定の長さの範囲で突没が可能であり、突出した状態で前記アームが前記本体にロックされ、
前記枠ブラケットには前記本体に取り付けられる軸部が設けられ、前記本体には、前記軸部を係止するとともに、移動させることで係止解除を行う解除プレートと、前記解除プレートを覆って移動を防ぐ保護カバーが設けられ、
前記保護カバーは、適度な硬さを有し一定以上の力で取り外し可能であることを特徴とする開放制限ストッパー。
【請求項２】
前記軸部の先端には軸方向に対して交差する方向へ突出するフランジ部が設けられ、
前記解除プレートの面方向は、前記軸部の軸方向に対して交差して設けられ、
前記解除プレートには、前記軸部が差し込まれて係止される係止孔が設けられ、前記係止孔は前記フランジ部が通過可能な大円部と、前記軸部は通過可能で前記フランジ部は通過不可能な小円部が互いに連通して形成され、前記解除プレートを、前記大円部と前記小円部の連通方向に移動させることにより、前記フランジ部が前記小円部に係止される係止状態と、前記フランジ部が前記大円部を通過して分離する係止解除状態を切り替える請求項１記載の開放制限ストッパー。
【請求項３】
前記本体はケースで覆われ、前記ケースの前記枠ブラケットが取り付けられる側の開口部の近傍には、前記ケースの背面に、前記軸部が挿通される透孔が形成され、前記背面に交差する一対の側面に、前記解除プレートが摺動可能に挿通されるスリットが互いに対向する位置に設けられ、
前記ケースの前記開口部の内側には、キャップ部材が設けられ、前記キャップ部材には前記背面の前記透孔に連通する嵌合孔と、前記一対の側面の前記一対のスリットに連通し前記嵌合孔の内周面に連通する挿通部が設けられ、前記軸部は前記ケースの前記透孔を通過して前記嵌合孔に差し込まれ、前記解除プレートは、前記ケースの前記スリットと前記挿通部に摺動可能に保持され、差し込まれた前記軸部の先端は前記解除プレートの前記係止孔に差し込まれ、前記解除プレートを、前記挿通部に沿って移動させることにより、前記係止孔の前記大円部と前記小円部の位置を切り替える請求項１記載の開放制限ストッパー。
【請求項４】
前記キャップ部材は、固定部材を介して前記ケースに固定され、前記固定部材は、前記解除プレートの、摺動方向に沿う側縁部上に位置し、前記側縁部は前記固定部材を避けるガイド凹部が形成されて前記ガイド凹部の内側に前記固定部材の一部が差し込まれ、
前記ガイド凹部は、前記側縁部に沿って所定長さで形成され、前記解除プレートは前記固定部材が前記ガイド凹部の内側に位置する範囲に摺動方向の移動長さを規制され、抜け落ちを防ぐ請求項１記載の開放制限ストッパー。
【請求項５】
前記解除プレートは、一部が前記ケースの前記一対の側面の一方に形成された前記スリットから外側に突出し、突出した部分は前記解除プレートを摺動させる操作部であり、
前記保護カバーは、前記ケースの前記正面と前記一対の側面の他方を覆い、前記一方の側面は前記スリットから突出する前記解除プレートの前記操作部を収容する空間を有して覆う、コの字形に連続する側面で形成され、前記ケースの前記他方の側面に重なる一側面が、前記他方の側面に固定されている請求項１記載の開放制限ストッパー。
【発明の詳細な説明】
【技術分野】
【０００１】
この発明は、建物の開口部に固定されている窓枠と、この窓枠に縦方向又は横方向のヒンジを介して回転可能に取り付けられている開き窓との間に介在されて、開き窓の開放時にこの開き窓を所定の開放角度に保持するための開放制限ストッパーに関する。
【背景技術】
【０００２】
従来、窓枠にヒンジを介して回転可能に取り付けられている開き窓の開放制限ストッパーは、建物の開口部に固定されている窓枠と、この窓枠に縦方向又は横方向のヒンジを介して回転可能に取り付けられている開き窓との間に設置されている。通常使用時には、換気用として、開き窓を所定角度に開放し、その角度をロックする。窓を閉める時は、ロックを解除して窓を閉める。
【０００３】
このような開放制限ストッパーは、開き窓を閉鎖状態から開放する時、所定の開放角度になると自動的にロックが掛かるように構成されているため、開き窓をそれ以上開放させることができない。しかし、所定の操作によりロックを解除する構造が設けられ、メンテナンスや、火災等の緊急の場合に、開き窓を全開させることができる。
【０００４】
例えば、特許文献１に開示されている縦軸回転窓の開閉調節器は、障子枠に固定される本体を備え、本体が、ケースから突出したアームの端部にボールジョイント構造で首振り自在、且つ回転自在に取り付けられた障子ブラケットと、ケースの中空部に設けられ、アームがスライドしてケースから所定の長さ突出すると、アーム位置決め部に係合することによって当該スライド動作を停止させるストッパ部材を有するアーム位置決め機構とを備えている。アーム位置決め機構は、ケースの前側開口部に取り付けられ、ストッパ解除部材を内部に誘導する差込口が形成されたガイドと、ストッパピンと一体に移動するストッパ基板とを備え、ストッパピンは、ストッパ基板の上面に突出するように設けられ、アームがケース内に収容された状態でストッパ解除部材が込口から差し込まれると、ストッパ基板の上面がストッパ解除部材によって係止され、ストッパピンの頭部がアーム位置決め孔に嵌合しない位置に保持されるものである。
【０００５】
また、特許文献２に開示されている横軸回転窓の開放装置は、窓枠に回転可能に取り付けた回転アームと金属障子の下端に取り付けたリンケージロックを枢動自在に結合し、両者の係合を外して金属障子を回動自在にして回転窓を開放することができる。回転アームとリンケージロックの枢着結合を、シリンダー部の突出・挿着することにより行い、突出したシリンダー部を引き戻して枢着結合を解除する動作を、鍵による錠操作で行えるようにすると同時に、押しピンの操作によっても行えるようにしている。
【先行技術文献】
【特許文献】
【０００６】
【特許文献１】特許第５４９５７５５号公報
【特許文献２】特開平１１−６２３５０号公報
【発明の概要】
【発明が解決しようとする課題】
【０００７】
上記背景技術の特許文献１の装置は、窓を広く開放するには、ストッパ解除部材を用いてアームの位置決めを解除しなめればならず、迅速な開放操作を行うことができず、ストッパ解除部材が近くにない場合や紛失した場合に、非常時にも窓を広く開けることができなくなる恐れがある。
【０００８】
また、上記背景技術の特許文献２の装置の場合、リンケージロックをシリンダー錠を用いて鍵又は押しピンにより解除可能としており、シリンダー錠の機構が複雑であり、解除動作がスムーズに行えない場合がある。さらに、誤って押しピンを押した場合、窓が全面的に開放されて人が落下する等の危険性があり、安全面から見た場合には望ましいものではない。
【０００９】
この発明は、上記背景技術の問題点に鑑みてなされたものであり、平時には窓の開放角度を一定にして安全性を確保し、緊急時には簡単な操作により短時間で窓を全面開放することができ、不用意に全面開放することを防ぐ開放制限ストッパーを提供することを目的とする。
【課題を解決するための手段】
【００１０】
本発明は、窓枠に回転軸を介して障子が取り付けられた開き窓の、障子に固定される障子ブラケットと、窓枠に固定される枠ブラケットが設けられ、前記障子ブラケットにはアームが回転可能に取り付けられ、前記枠ブラケットには筒状の本体が回転可能に取り付けられ、前記アームの前記障子ブラケットとは反対側の端部は、前記本体の長手方向の端部に形成された開口部に差し込まれ、所定の長さの範囲で突没が可能であり、突出した状態で前記アームが前記本体にロックされる開放制限ストッパーである。前記枠ブラケットには前記本体に取り付けられる軸部が設けられ、前記本体には、前記軸部を係止するとともに、移動させることで係止解除を行う解除プレートと、前記解除プレートを覆って移動を防ぐ保護カバーが設けられている。前記保護カバーは、アクリル等で形成され、適度な硬さを有し一定以上の力で破壊等により取り外し可能である。
【００１１】
前記軸部の先端には軸方向に対して交差する方向へ突出するフランジ部が設けられている。前記解除プレートの面方向は、前記軸部の軸方向に対して交差して設けられ、前記解除プレートには、前記軸部の先端が差し込まれて係止される係止孔が設けられている。前記係止孔は前記フランジ部が通過可能な大円部と、前記軸部は通過可能で前記フランジ部は通過不可能な小円部が互いに連通して形成され、前記解除プレートを、前記大円部と前記小円部の連通方向に移動させることにより、前記フランジ部が前記小円部に係止される係止状態と、前記フランジ部が前記大円部を通過して分離する係止解除状態を切り替える。
【００１２】
前記本体は、四角筒状等のケースで覆われ、前記ケースの前記枠ブラケットが取り付けられる側の開口部の近傍には、前記ケースの背面に、前記軸部が挿通される透孔が形成され、前記背面に交差する一対の側面に、前記解除プレートが摺動可能に挿通されるスリットが互いに対向する位置に設けられている。前記開口部の内側には、キャップ部材が設けられ、前記キャップ部材には前記開口部を閉鎖する閉鎖板部と、前記ケースの内側に挿通される係止板部が一体に設けられている。前記係止板部には、前記背面の前記透孔に連通する嵌合孔と、前記一対の側面の前記一対のスリットに連通し前記嵌合孔の内周面に連通する挿通部が設けられ、前記軸部は前記ケースの前記透孔を通過して前記嵌合孔に差し込まれ、前記解除プレートは、前記ケースの前記スリットと前記挿通部に摺動可能に保持されている。差し込まれた前記軸部の先端は前記解除プレートの前記係止孔に差し込まれ、前記解除プレートを、前記挿通部に沿って移動させることにより、前記係止孔の前記大円部と前記小円部の位置を切り替える。
【００１３】
前記キャップ部材は、前記係止板部の一部がネジまたはピンによる固定部材を介して前記ケースに固定され、前記固定部材は、前記解除プレートの、摺動方向に沿う側縁部上に位置し、前記側縁部は前記固定部材を避けるガイド凹部が形成されて前記ガイド凹部の内側に前記固定部材の一部が差し込まれている。前記ガイド凹部は、前記側縁部に沿って所定長さで形成され、前記解除プレートは前記固定部材が前記ガイド凹部の内側に位置する範囲に摺動方向の移動長さを規制され、抜け落ちを防ぐ。
【００１４】
前記解除プレートは、一部が前記ケースの前記一対の側面の一方に形成された前記スリットから外側に突出し、突出した部分は前記解除プレートを摺動させる操作部である。前記保護カバーは、前記ケースの前記正面と前記一対の側面の他方を覆い、前記一方の側面は前記スリットから突出する前記解除プレートの前記操作部を収容する空間を有して覆う、コの字形に連続する側面で形成され、前記ケースの前記他方の側面に重なる一側面が、前記他方の側面に固定されている。
【発明の効果】
【００１５】
本発明の開放制限ストッパーは、平時には窓の開放角度を一定にして安全性を確保し、緊急時には、簡単な操作により短時間で窓を全面開放することができる。全面開放するためにの操作部は、保護カバーに覆われているため、不用意に全面開放されることを防いでいる。また、保護カバーは一定以上の力で破壊可能であり、破壊させて操作部を露出させて操作可能とすることができ、鍵等の別部材を使用することなく、便利である。
【図面の簡単な説明】
【００１６】
【図１】この発明の一実施形態の開放制限ストッパーの正面図である。
【図２】この実施形態の開放制限ストッパーの右側面図である。
【図３】この実施形態の開放制限ストッパーの背面図である。
【図４】この実施形態の開放制限ストッパーの使用状態を示す斜視図（ａ）と、キーにより分解した状態を示す斜視図（ｂ）である。
【図５】この実施形態の開放制限ストッパーの保護カバーを破壊させ操作部を露出させた状態を示す斜視図（ａ）と、操作部を押して分解した状態を示す斜視図（ｂ）である。
【図６】この実施形態の開放制限ストッパーの係止状態を示す部分拡大縦断面図（ａ）と、部分拡大縦断面図（ａ）のＡ−Ａ線横断面図である。
【図７】この実施形態の開放制限ストッパーの係止解除状態を示す部分拡大縦断面図（ａ）と、部分拡大縦断面図（ａ）のＢ−Ｂ線横断面図である。
【図８】この実施形態の開放制限ストッパーの分解した状態を示す斜視図である。
【図９】この実施形態の開放制限ストッパーのキャップ部材の正面図（ａ）と右側面図（ｂ）である
【発明を実施するための形態】
【００１７】
以下、この発明の実施形態について図面に基づいて説明する。図１〜図６はこの発明の一実施形態を示すもので、この実施形態の開放制限ストッパー１０は、建物の開口部に固定されている窓枠１２と、この窓枠１２に縦方向のヒンジを介して回転可能に取り付けられている障子１４との間に介在されて障子１４の開放時に障子１４を所定角度に保持するものである。
【００１８】
開放制限ストッパー１０は、障子１４へ取り付けるための障子ブラケット１６と、窓枠１２へ取り付けるための枠ブラケット１８と、枠ブラケット１８に一端を軸支された四角筒状の本体２０と、本体２０に伸縮可能に挿入されたアーム２２が設けられている。アーム２２の、本体２０から突出する端部は障子ブラケット１６にボールジョイント２１を介して連結されている。本体２０に挿入された端部は、所定の長さに引き出された位置で、後述するストッパ部材７８により自動的にロックされる。そして後述するボタン８２を押してロックが解除される。障子ブラケット１６には、障子１４に密着するブレーキゴム１７が取り付けられている。
【００１９】
ここで、枠ブラケット１８について説明する。枠ブラケット１８は、板体であり、ほぼ中央を通過する折罫線で、９０°に折り曲げられている。折り曲げられた一方の面１８ａには、本体２０を軸支する軸部２６が固定されている。軸部２６は円柱状で、面１８ａに対して直角に突出して設けられ、面１８ａとは反対側の先端には、軸方向に対して直角に突出するフランジ部２８が一周して設けられている。軸部２６の、フランジ部２８とは反対側の端部は、面１８ａに形成された透孔に嵌合され固定されている。軸部２６の側周面には、コイルバネ３０が取り付けられている。軸部２６の、コイルバネ３０とフランジ部２８の間にはワッシャ３２が設けられている。コイルバネ３０の一端は枠ブラケット１８の面１８ａに当接し、他端部はワッシャ３２に当接し、ワッシャ３２が面１８ａに近い位置にくると圧縮される。枠ブラケット１８の、面１８ａ以外の面１８ｂには、窓枠１２に取り付ける固定部材であるネジ２９用の透孔１９が３つ設けられている。固定部材であるネジ２９は、ピンでも良い。
【００２０】
次に本体２０について説明する。本体２０は、四角筒状のケース２４で覆われている。ケース２４は、正面２４ａ、右側面２４ｂ、背面２４ｃ、左側面２４ｄが互いに９０°に連接して設けられている。ケース２４は両端部に開口部２５，２７を有し、中空の内側には、一方の開口部２５からアーム２２が摺動可能に差し込まれ、収容される。
【００２１】
ケース２４の正面２４ａには、開口部２５近傍に、後述するボタン８２が突没可能に取り付けられる矩形の透孔３８が設けられている。右側面２４ｂと左側面２４ｄには、開口部２５とは反対側のケース２４の枠ブラケット１８側の開口部２７の近傍に、後述する解除プレート６６が摺動可能に取り付けられるスリット３５，３６が内外に連通し、互いに対向する位置にそれぞれ設けられている。スリット３５は右側面２４ｂに形成され、ケース２４の挿通方向に長く形成されている。スリット３６は左側面２４ｄに形成され、ケース２４の挿通方向に長く形成され、スリット３５よりも短い。スリット３５，３６の、開口部２７とは反対側の位置には、後述する補強プレート６０を取り付けるネジ２９が挿通される透孔４０が各々設けられている。また、左側面２４ｄには、スリット３６に並んで正面２４ａに近い位置に、後述する保護カバー８６を取り付けるネジ２９が挿通される透孔４２が設けられている。背面２４ｃの開口部２７の近傍には、枠ブラケット１８の軸部２６が挿通される透孔４３が設けられている。透孔４３より少し開口部２７から離れた位置には、後述するキャップ部材３４を取り付けるネジ２９が挿通される透孔４５が設けられている。背面２４ｃの開口部２５の近傍には、後述するキャップ部材７６を取り付けるネジ２９が挿通される透孔４４が３箇所設けられている。
【００２２】
ケース２４の、枠ブラケット１８側の開口部２７には硬い合成樹脂製のキャップ部材３４が嵌合され、閉鎖されている。キャップ部材３４は、図９に示すように、ケース２４の開口部２７を閉鎖する閉鎖板部４６が設けられ、閉鎖板部４６は、一方向が長い矩形である。閉鎖板部４６には、ケース２４の内側に挿通される係止板部４８が一体に設けられている。係止板部４８は、閉鎖板部４６の面方向に対して直角に立設された板体であり、係止板部４８の面方向は、閉鎖板部４６の長手方向に対して平行である。閉鎖板部４６に対して平行な方向は短辺であり、短辺の長さは閉鎖板部４６の長手方向よりわずかに短い。閉鎖板部４６に対して直角な長さは長辺であり、短辺の約２倍の長さである。係止板部４８の、短辺と長辺に交差する厚み方向の中間部分には、短辺方向に沿って貫通する挿通部５０が設けられている。係止板部４８の面の中央には、厚み方向に貫通する嵌合孔５２が形成されている。嵌合孔５２は、枠ブラケット１８の軸部２６とコイルバネ３０が挿通されるものであり、軸部２６とコイルバネ３０が挿通可能な大きい円筒形に形成され、嵌合孔５２の内周面には挿通部５０が連通している。嵌合孔５２よりも、少し閉鎖板部４６から離れた位置に、ケース２４の背面２４ｃに組み付けるネジ２９挿通される透孔５４が設けられている。透孔５４の半分程度は、挿通部５０にかかっていて連通し、ネジ２９の側周面の一部が挿通部５０に露出する。係止板部４８の、閉鎖板部４６に連続している基端部４８ａは、係止板部４８のその他の部分の厚みよりも厚くなるように傾斜している。傾斜する方向は、キャップ部材３４をケース２４の開口部２７に取り付けた時に、ケース２４の正面２４ａの裏面に近づく方向である。基端部４８ａには、軽量化等のための空間が挿通部５０に連通して形成され、空間内には、板状のバネ５８が、係止板部４８の短辺方向に沿って設けられている。バネ５８の長手方向の中心付近は、嵌合孔５２に向かって、つまり閉鎖板部４６から離れる方へ突出するように折り曲げられた突部５８ａが形成されている。閉鎖板部４６の形状は、ケース２４の外周面で形成される矩形と一致する矩形であり、側周面にはケース２４の内周面に一致し取付時に密着する段部４６ａが一周して形成されている。
【００２３】
ケース２４と、キャップ部材３４の係止板部４８の間には、補強プレート６０が設けられている。補強プレート６０は、ケース２４の、右側面２４ｂ、左側面２４ｄ、背面２４ｃに沿うコの字形に折り曲げられた板体であり、ケース２４の開口部２７から、透孔４０の少し上まで達する長さである。透孔４０に連通する一対の透孔６２と、透孔４２に一致する透孔６４が設けられている。また、スリット３５，３６に対面する部分と透孔４３に対面する部分は、切り欠かれている。
【００２４】
ケース２４のスリット３５，３６には、解除プレート６６が取り付けられている。解除プレート６６は、スリット３５，３６に差し込み可能な厚みの板体であり、右側面２４ｂと左側面２４ｄを貫通する長さを有している。解除プレート６６は、右側面２４ｂと左側面２４ｄを貫通する方向に長い板体であり、長手方向の一方の端部６６ａは、端部６６ａに対して略平行な折罫線で９０°に折り曲げられ、解除プレート６６を押し込む際の操作部６７となる。解除プレート６６の、操作部６７以外の広い方の面には、枠ブラケット１８の軸部２６が差し込まれて係止される係止孔６８が形成されている。係止孔６８は、軸部２６のフランジ部２８よりも大きい大円部６８ａと、軸部２６の断面形状よりは大きくフランジ部２８よりは小さい小円部６８ｂが、一直線上に直径を並べられて連通する形状である。大円部６８ａと小円部６８ｂの境目は、小円部６８ｂの直径と同じ幅の直線で形成され、軸部２６が通過可能である。大円部６８ａと小円部６８ｂの、直径どうしを並べられた一直線は長手方向に沿って形成され、大円部６８ａが端部６６ａに近い位置にある。解除プレート６６を長手方向に移動させることにより、大円部６８ａと小円部６８ｂの位置を切り替え、軸部２６のフランジ部２８が小円部６８ｂに係止される係止状態と、フランジ部２８が大円部６８ａを通過して分離する係止解除状態を切り替える。
【００２５】
解除プレート６６の、端部６６ａの反対側の端部６６ｂは、端部６６ａに対して平行であり、操作部６７を区切る折罫線と端部６６ｂの間の長さは、ケース２４の、右側面２４ｂと左側面２４ｄの間の長さより長い。解除プレート６６は、組立時にケース２４のスリット３５，３６に差し込まれて取り付けられ、端部６６ａはスリット３５側に位置し、端部６６ｂはスリット３６側に位置する。また、端部６６ａを折り曲げて形成された操作部６７は正面２４ａの方へ折り曲げられている。端部６６ａと端部６６ｂを結ぶ側縁部６６ｃ，６６ｄは互いに平行で、端部６６ａ，６６ｂに対して直角である。ケース２４に取り付けた時、解除プレート６６の面方向はケース２４の、正面２４ａと背面２４ｃに対して平行となり、ケース２４の内側に取り付けられたキャップ部材３４の挿通部５０に、摺動可能に差し込まれている。
【００２６】
解除プレート６６の一方の側縁部６６ｃは、ケース２４とキャップ部材３４に取り付けた状態では、ケース２４の開口部２７の近くに位置する。側縁部６６ｃには、凹部７０が設けられ、凹部７０の位置は、係止孔６８の小円部６８ｂがキャップ部材３４の嵌合孔５２に一致した時に、バネ５８の突部５８ａが差し込まれる位置である。これにより、係止孔６８の小円部６８ｂがキャップ部材３４の嵌合孔５２に一致した時に、バネ５８の突部５８ａが凹部７０に差し込まれて軽い力で係止され、位置決めされる。側縁部６６ｃとは反対側の側縁部６６ｄには、ガイド凹部７４が設けられている。ガイド凹部７４は、キャップ部材３４の透孔５４と、ケース２４の背面２４ｃの透孔４５に、ネジ２９を挿通してキャップ部材３４とケース２４を組み立てた時に、挿通部５０に露出したネジ２９の側周面の一部が差し込まれる。ガイド凹部７４は、側縁部６６ｄに沿って長く形成され、一方の端部は、係止孔６８の小円部６８ｂがキャップ部材３４の嵌合孔５２に一致した時に、ネジ２９ａが差し込まれる位置であり、反対側の端部は、大円部６８ａが嵌合孔５２に一致した時に、ネジ２９ａが差し込まれる位置である。側縁部６６ｃ，６６ｄには、端部６６ｂに近い位置に、解除プレート６６の幅が細くなる段部７２が設けられている。段部７２より端部６６ｂ側は細いため、スリット３６に挿通可能であり、段部７２の端部６６ａ側は太いため、スリット３６を通ることができず、段部７２がスリット３６の周縁部に当接して止まる。
【００２７】
ケース２４の、障子ブラケット１６側の開口部２５には硬い合成樹脂製のキャップ部材７６が嵌合され、閉鎖されている。キャップ部材７６には、アーム２２が摺動可能に挿通される挿通口７９と、後述するキー８４が挿通される挿通口８０が形成されている。キャップ部材７６は、アーム２２の背面２４ｃ側に位置するストッパ部材７８と、正面２４ａ側に位置するボタン８２を保持している。ストッパ部材７８とボタン８２は、アーム２２が摺動してアーム２２の端部近傍の透孔２２ａが位置した時に透孔２２ａに差し込まれて互いに係止するとともに、アーム２２の引き伸ばす長さをロックするものである。ボタン８２を押すと、係止が解除され、アーム２２は摺動可能となり、ケース２４の中に入れることができる。しかし、引き抜く方向には摺動せず、抜け落ちを防止する。なお、キャップ部材７６の挿通口８０に、所定形状のキー８４を差し込むと、ストッパ部材７８はアーム２２との係止が解除され、アーム２２はケース２４から抜け落ちて、アーム２２と本体２０が分離される。キャップ部材７６は、ケース２４の背面２４ｃの、３個の透孔４４にネジ２９を差し込んで取り付けられている。
【００２８】
ケース２４の、開口部２７近傍には、正面２４ａ、右側面２４ｂ、左側面２４ｄをコの字形に覆う保護カバー８６が取り付けられている。保護カバー８６は、強い力を加えると割ることができる合成樹脂で作られ、例えばアクリル製である。保護カバー８６は、正面２４ａに重ねられる矩形の側面８６ａと、左側面２４ｄに重ねられる側面８６ｄと、右側面２４ｂに対して平行で右側面２４ｂから離間し組立状態で解除プレート６６を覆う側面８６ｂがコの字形となっている。さらに、側面８６ｂの両側縁部には、解除プレート６６を覆う側面８６ｅが設けられている。側面８６ｄには、ネジ２９用の透孔８８が設けられている。
【００２９】
保護カバー８６の、ケース２４への取り付けは、側面８６ｄの透孔８８を、ケース２４の左側面２４ｄの透孔４２に一致させ、ネジ２９で取り付ける。ケース２４のスリット３５から外側に突出した解除プレート６６の操作部６７は、保護カバー８６の側面８６ａ，８６ｂ，８６ｅにより、４方向を囲まれて保護される。
【００３０】
次に、開放制限ストッパー１０の組み立て方法について説明する。ケース２４に、キャップ部材３４，７６、補強プレート６０、解除プレート６６、ストッパ部材７８、ボタン８２を所定の順番で組み立て、本体２０をつくる。本体２０に、障子ブラケット１６、アーム２２、枠ブラケット１８、保護カバー８６を所定の順番で組み立て、開放制限ストッパー１０となる。この時、図６に示すように、操作部６７がケース２４の右側面２４ｂから突出し、解除プレート６６は、係止孔６８の小円部６８ｂがキャップ部材３４の嵌合孔５２に一致し、枠ブラケット１８の軸部２６のフランジ部２８が係止され、本体２０と枠ブラケット１８は連結されている。解除プレート６６の凹部７０に、キャップ部材３４のバネ５８の突部５８ａが差し込まれ、移動することがない。
【００３１】
次に、開放制限ストッパー１０の使用方法について図４に基づいて説明する。枠ブラケット１８を窓枠１２の角部に当て、透孔１９にネジ２９を挿通して取り付ける。枠ブラケット１８の向きは、軸部２６の軸周りに変更可能であり、取り付ける窓枠１２に合わせる。そして、障子１４に障子ブラケット１６を固定する。
【００３２】
障子１４を開ける時は、障子１４が開くにつれてアーム２２はケース２４から引き伸ばされる。アーム２２の透孔２２ａがボタン８２とストッパ部材７８に達すると係止するとともに、アーム２２の引き伸ばし長さが自動的にロックされる。窓枠１２を閉める時は、ボタン８２を押すことでロックを解除し、短くする。
【００３３】
掃除やメンテナンスの際は、図４（ａ）に示すように、キー８４をキャップ部材７６の挿通口８０に差し込み、アーム２２と本体２０の係止を解除し、図４（ｂ）に示すように、分離することができる。掃除やメンテナンスの後は、所定の操作で、元に戻すことができる。
【００３４】
火災等の緊急時には、図５（ａ）に示すように、保護カバー８６の側面８６ｂ側を引き起こして破壊させて取り外し、解除プレート６６の操作部６７を露出させる。そして、操作部６７をケース２４に押し込み、解除プレート６６を移動させ、係止孔６８の大円部６８ａをキャップ部材３４の嵌合孔５２に一致させる。係止孔６８の小円部６８ｂに係止されていた軸部２６のフランジ部２８は、図７に示すように、大円部６８ａに位置し、係止されずに抜ける。これにより、図５（ｂ）、図８に示すように、本体２０と枠ブラケット１８を分離して、障子１４を開放する。解除プレート６６の凹部７０に、キャップ部材３４のバネ５８の突部５８ａが差し込まれているが、強い力で操作部６７を押すことによりバネ５８を弾性変形させて移動することができる。
【００３５】
解除プレート６６は、軸部２６が無くなると自由に摺動可能となる。しかし、解除プレート６６のガイド凹部７４にネジ２９が位置する範囲で摺動が可能であり、摺動長さが規制される。このため、解除プレート６６がケース２４の右側面２４ｂスリット３５から抜けることがない。
【００３６】
元に戻す時は、軸部２６を差し込んで、解除プレート６６を突出させる方向に引くと、再び係止される。破壊した保護カバー８６は、ネジ２９を外して取り除き、新しい保護カバー８６を取り付け、使用する。
【００３７】
この実施形態の開放制限ストッパー１０によれば、平時には障子１４の開放角度を一定にして安全性を確保し、緊急時には簡単な操作により短時間で障子１４を全面開放することができる。全面開放する操作部６７は保護カバー８６に覆われているため、不用意に全面開放することを防ぐ。落下事故を起こすことが無く、安全である。また、保護カバー８６は一定以上の力で破壊可能であり、破壊させて操作部６７を露出させて操作可能とすることができる。保護カバー８６はアクリル製であり、適度な強度を有し、強い力を加えることで簡単に破壊させることができる。破壊した保護カバー８６は廃棄し、新しいものと交換し、解除プレート６６を元に戻すことで再度使用することができる。
【００３８】
解除プレート６６の構造は、極めてシンプルであり、信頼性が高く、緊急時には、操作部６７をケース２４に押し込むだけで容易に開放制限ストッパー１０を解除することができる。キー８４等の別部材を使用することなく、短時間で操作することができ、キー８４を準備したり挿通口８０を確認する時間がかからず、便利である。緊急時以外の掃除やメンテナンスの際は、キー８４により全面開放することができ、保護カバー８６を破壊させることない。本体２０と枠ブラケット１８を分離した状態では、解除プレート６６が自由に摺動可能となるが、ガイド凹部７４にネジ２９が位置するため、解除プレート６６がケース２４から抜けることがなく、紛失を防ぐ。
【００３９】
なお、この発明の開放制限ストッパーは、上記実施の形態に限定されるものではなく、各部材の形状や大きさは適宜変更可能である。解除プレートの向きも上記実施形態とは左右が逆にスリットに挿入されたものでも良い。本体やケースの形状も断面が四角形以外に、円や楕円長円形状でも良く、ケースは半円筒状でも良い。障子ブラケットと枠ブラケットの形状や向きは、障子と窓枠の形状に合わせて変更可能である。解除プレートの形状は、確実に枠ブラケットの軸部の係止と解除を行うものであればよい。保護カバーの形状も、確実に解除プレートを覆うもので、緊急時には壊しやすいものであれば良い。
【符号の説明】
【００４０】
１０  開放制限ストッパー
１２  窓枠
１４  障子
１６  障子ブラケット
１８  枠ブラケット
２０  本体
２２  アーム
２４  ケース
２４ａ  正面
２４ｂ  右側面
２４ｃ  背面
２４ｄ  左側面
２５，２７  開口部
２６  軸部
２８  フランジ部
２９  ネジ
３４  キャップ部材
３５，３６  スリット
４３  透孔
４６  閉鎖板部
４８  係止板部
５０  挿通部
５２  嵌合孔
６６  解除プレート
６６ｄ  側縁部
６７  操作部
６８  係止孔
６８ａ  大円部
６８ｂ  小円部
７４  ガイド凹部
８６  保護カバー
【図１】
2020133117.tif 000003
【図２】
2020133117.tif 000004
【図３】
2020133117.tif 000005
【図４】
2020133117.tif 000006
【図５】
2020133117.tif 000007
【図６】
2020133117.tif 000008
【図７】
2020133117.tif 000009
【図８】
2020133117.tif 000010
【図９】
2020133117.tif 000011